(57)【要約】【課題】ＤＶＤレコーダシステムにおいて、スリープ状態からノーマル状態に自動復帰する。【解決手段】ＤＶＤプロセッサ１２は、一定時間の無操作状態を検出するとキーコントローラ１８に指令し、電源回路１６をＯＦＦ制御してスリープ状態に移行する。ＤＶＤドライブ１０とキーコントローラ１８はＡＴＡＰＩインタフェースの端子を用いて接続され、ＤＶＤドライブ１０にメディアが挿入されるとキーコントローラ１８がその信号を検出して電源回路１６をＯＮ制御してノーマル状態に復帰する。【選択図】図１
2006092627.tif 000002
【特許請求の範囲】
【請求項１】
光ディスクに対してデータの記録再生を行う光ディスク装置を備えるデータ記録再生システムであって、
光ディスク装置と、
前記光ディスク装置とＡＴＡＰＩインタフェースで接続され、前記光ディスク装置に対してコマンドを送信するとともに前記光ディスク装置からの再生データを受信するプロセッサと、
リモートコントロール装置から無線送信されたキー操作を受信する受信部と、
前記受信部で受信したキー操作信号を解釈して前記プロセッサに指令するキーコントローラと、
前記光ディスク装置、プロセッサ、及びキーコントローラに電源電圧を供給する電源回路であって、少なくとも前記プロセッサへの電圧供給状態と電圧遮断状態とを切り替え可能な電源回路と、
を有し、
前記プロセッサは、一定時間の無操作状態により電圧供給状態のノーマル状態から電圧遮断状態のスリープ状態に移行し、
前記光ディスク装置と前記プロセッサとを接続するＡＴＡＰＩインタフェースの一部を分岐させて前記キーコントローラに接続し、
前記スリープ状態において前記光ディスク装置に前記光ディスクが挿入された場合に、前記光ディスク装置は挿入信号を前記ＡＴＡＰＩインタフェースを介して前記キーコントローラに送信し、
前記キーコントローラは、前記光ディスク装置からの挿入信号に応じて前記電源回路に指令して電圧遮断状態から電圧供給状態に切り替えることで前記プロセッサを前記スリープ状態から前記ノーマル状態に復帰する
ことを特徴とするデータ記録再生システム。
【請求項２】
請求項１記載の装置において、
前記キーコントローラは、前記リモートコントロール装置からスタンバイ、プレイ、イジェクトのいずれかのキー操作信号を受信した場合に前記電源回路に指令して電圧遮断状態から電圧供給状態に切り替えることで前記プロセッサを前記スリープ状態から前記ノーマル状態に復帰する
ことを特徴とするデータ記録再生システム。
【請求項３】
請求項１記載の装置において、
前記キーコントローラは、前記リモートコントロール装置から録画のキー操作信号を受信した場合に前記電源回路に指令して電圧遮断状態から電圧供給状態に切り替えることで
前記プロセッサを前記スリープ状態から前記ノーマル状態に復帰し、
前記プロセッサは、前記光ディスク装置に記録可能な光ディスクが挿入されているか否かを判定し、記録可能な光ディスクが挿入されている場合に前記光ディスク装置にデータ記録を指令する
ことを特徴とするデータ記録再生システム。
【発明の詳細な説明】
【技術分野】
【０００１】
本発明はデータ記録再生システム、特に光ディスク装置を備え、通常動作状態であるノーマル状態と省電力のスリープ状態とを有するシステムに関する。
【背景技術】
【０００２】
従来より、ＣＤドライブやＤＶＤドライブ等の光ディスク装置（光ディスクドライブ）を有するコンピュータシステムやＤＶＤレコーダシステムが開発されている。
【０００３】
例えば、以下の特許文献１には、ＤＶＤドライブを備えるノート型ＰＣにおいて、メディア挿入時にドライブ装置から発生されるウェイクアップ信号に応答してコンピュータシステムをスリープ状態から動作状態に復帰させ、コンピュータシステムの動作状態への復帰に応答してメディアを再生するための処理を開始することが記載されている。コントローラがＰＣが停止またはスリープ状態のときにウェイクアップ信号の検出を行うと、電源オン要求を電源コントローラに出力して停止あるいはスリープ状態から動作状態に復帰させるものである。
【０００４】
【特許文献１】特開２０００−３２３３号公報
【発明の開示】
【発明が解決しようとする課題】
【０００５】
しかしながら、上記従来技術では、ＤＶＤドライブにメディアが挿入されたことをコントローラに通知するために、ＤＶＤドライブとコントローラとを新たな信号線で接続しなければならず、構成が複雑化する。スリープ状態においてもＣＰＵをある程度動作状態に維持してＤＶＤドライブからのメディア挿入の通知をＣＰＵで処理することも考えられるが、ＣＰＵの消費電力は大きいため省電力の観点から問題がある。
【０００６】
さらに、上記従来技術ではメディア挿入によりスリープ状態から通常動作状態に復帰させているが、操作スイッチ、例えばプレイキーやイジェクトキーの操作によってもスリープ状態から復帰させることが好適であり、特に、単に記録キーを操作するだけでスリープ状態から復帰するとともに迅速に記録を開始できることが望ましい。
【０００７】
本発明の目的は、メディアの挿入によりスリープ状態から通常の動作状態に簡易に復帰することができ、さらに操作スイッチ、特に記録キーを操作することでスリープ状態から復帰し所望の動作を開始できるシステムを提供することにある。
【課題を解決するための手段】
【０００８】
本発明は、光ディスクに対してデータの記録再生を行う光ディスク装置を備えるデータ記録再生システムであって、光ディスク装置と、前記光ディスク装置とＡＴＡＰＩインタフェースで接続され、前記光ディスク装置に対してコマンドを送信するとともに前記光ディスク装置からの再生データを受信するプロセッサと、リモートコントロール装置から無線送信されたキー操作を受信する受信部と、前記受信部で受信したキー操作信号を解釈して前記プロセッサに指令するキーコントローラと、前記光ディスク装置、プロセッサ、及びキーコントローラに電源電圧を供給する電源回路であって、少なくとも前記プロセッサへの電圧供給状態と電圧遮断状態とを切り替え可能な電源回路とを有し、前記プロセッサは、一定時間の無操作状態により電圧供給状態のノーマル状態から電圧遮断状態のスリープ状態に移行し、前記光ディスク装置と前記プロセッサとを接続するＡＴＡＰＩインタフェースの一部を分岐させて前記キーコントローラに接続し、前記スリープ状態において前記光ディスク装置に前記光ディスクが挿入された場合に、前記光ディスク装置は挿入信号を前記ＡＴＡＰＩインタフェースを介して前記キーコントローラに送信し、前記キーコントローラは、前記光ディスク装置からの挿入信号に応じて前記電源回路に指令して電圧遮断状態から電圧供給状態に切り替えることで前記プロセッサを前記スリープ状態から前記ノーマル状態に復帰することを特徴とする。
【０００９】
本発明の１つの実施形態では、前記キーコントローラは、前記リモートコントロール装置からスタンバイ（ＳＴＡＮＢＹ）、プレイ（ＰＬＡＹ）、イジェクト（ＥＪＥＣＴ）のいずれかのキー操作信号を受信した場合に前記電源回路に指令して電圧遮断状態から電圧供給状態に切り替えることで前記プロセッサを前記スリープ状態から前記ノーマル状態に復帰する。また、前記キーコントローラは、前記リモートコントロール装置から録画のキー操作信号を受信した場合に前記電源回路に指令して電圧遮断状態から電圧供給状態に切り替えることで前記プロセッサを前記スリープ状態から前記ノーマル状態に復帰し、前記プロセッサは、前記光ディスク装置に記録可能な光ディスクが挿入されているか否かを判定し、記録可能な光ディスクが挿入されている場合に前記光ディスク装置にデータ記録を指令する。
【発明の効果】
【００１０】
本発明によれば、スリープ状態に移行した場合であっても、光ディスク装置へのメディア挿入により簡易かつ確実にノーマル状態に復帰できる。
【００１１】
また、本発明では、スリープ状態から録画キーが操作された場合でもスリープ状態からノーマル状態に復帰でき、かつ、迅速に録画を開始することができる。
【発明を実施するための最良の形態】
【００１２】
以下、図面に基づき本発明の実施形態について説明する。
【００１３】
図１には、本実施形態に係る携帯型（ポータブル）ＤＶＤレコーダシステムのシステム構成図が示されている。
【００１４】
ＤＶＤドライブ１０は、ＤＶＤに対してデータの記録再生を行う。記録すべきデータはＤＶＤプロセッサ１２から供給され、ＤＶＤから再生したデータをＤＶＤプロセッサ１２に供給する。ＤＶＤドライブ１０は、ＤＶＤに対する記録再生の他、ＣＤに対する記録再生を行う所謂コンボドライブでもよい。ＤＶＤドライブ１０は、電源回路１６からの電源電圧の供給を受けて動作する。ＤＶＤドライブ１０は、ＤＶＤプロセッサ１２その他のシステム部とは独立してそのモードを自身のコントローラで制御する。ＤＶＤドライブは、独自のノーマルモード（アクティブモード、アイドルモード、スタンバイモード、スリープモード）を有し、通常状態ではアクティブモードあるいはアイドルモードにあり、メディア無挿入状態ではスタンバイモードにある。ＤＶＤドライブ１０はモードとしてスリープモードも有するが、通常はスタンバイモードで待機する。その理由は、スリープモードに移行してしまうと、それまで保持していたメディアの各種状態（メディアの種類やメーカ情報、最適記録パワー等）を失い、動作時に再度これらの情報をメディアから取得しなければならず時間を要してしまうからである。ＤＶＤドライブ１０は、ＤＶＤプロセッサ１２とＡＴＡＰＩインタフェースで接続され、ＤＶＤプロセッサ１２からの各種コマンド及び記録すべきデータを受信し、ＤＶＤから再生したデータをＤＶＤプロセッサ１２に出力する。
【００１５】
また、ＤＶＤドライブ１０とキーコントローラ１８とは、上記のＡＴＡＰＩインタフェースの一部を分岐させて接続される。この端子は、ＤＶＤドライブ１０からＤＶＤプロセッサ１２にメディアの挿入信号を出力するインタフェースである。したがって、この端子を分岐させてキーコントローラ１８に接続することにより、メディア挿入時の挿入信号はＤＶＤプロセッサ１２に供給されると同時に、キーコントローラ１８にも供給されることになる。ＤＶＤドライブ１０とＤＶＤプロセッサ１２とを接続する際に、ＡＴＡＰＩインタフェースの未使用端子を利用してＤＶＤドライブ１０とキーコントローラ１８とを接続してもよい。ＤＶＤドライブ１０は、この未使用端子を用いてメディア挿入信号をキーコントローラ１８に送信する。
【００１６】
ＤＶＤプロセッサ１２は、ＤＶＤレコーダシステム全体を制御するプロセッサであり、その内部にＣＰＵ１２ａを有する。ＤＶＤプロセッサ１２は、フラッシュＲＯＭ２６に記憶された制御プログラムに従い、ＤＶＤドライブ１０の動作を制御する。アナログビデオ端子からアナログビデオ信号が入力されると、ビデオデコーダ３２にてデコードされ、ＤＶＤプロセッサ１２に供給される。また、オーディオ端子からアナログオーディオ信号が入力されると、Ａ／Ｄ３４にてデジタル信号に変換されてＤＶＤプロセッサ１２に供給される。ＤＶＤプロセッサ１２は、これらのビデオあるいはオーディオ信号をＤＶＤドライブ１０に供給する。また、ＤＶＤドライブ１０からの再生データはビデオエンコーダ１２ｂにてエンコードした後にビデオ出力端子から出力し、あるいはＤ／Ａ３６でアナログ信号に変換してオーディオ端子から出力する。
【００１７】
ＤＶＤプロセッサ１２は、ＤＶＤドライブの記録再生動作を制御するが、これはキーコントローラ１８からのキー操作信号に応じて実行される。すなわち、ＤＶＤプロセッサ１２はキーコントローラ１８に対して問い合わせ、キーコントローラ１８はこの問い合わせに応じて、入力キー操作信号（キー操作コマンド）をＤＶＤプロセッサ１２に返信する。ＤＶＤプロセッサ１２は、受信したキー操作信号に応じてＤＶＤドライブ１０に各種コマンドを送信して記録再生動作を実行する。記録すべきデータあるいは再生データは適宜ＲＡＭ３０に記憶され保持される。また、現在の設定条件、例えば入力ソースの固定／自動、入力ソース自動検出時の優先順位、オートファイナライズの有無、オートポーズの有無等はＥＥＰＲＯＭ２８に書き込んで記憶しておく。
【００１８】
また、ＤＶＤプロセッサ１２は、タイマを内蔵しており、無操作状態が一定時間継続して存在するか否かを監視する。そして、無操作状態が一定時間継続した場合には、キーコントローラ１８に対してノーマル状態からスリープ状態への移行を指示するコマンドを発行する。
【００１９】
キーコントローラ１８は、システム本体に設けられた操作スイッチ２２からの操作信号を入力し、あるいはリモートコントローラ（以下、リモコンと略称する）４０からの操作信号を赤外線センサ２４を介して入力する。操作スイッチ２２には「スタンバイ」、「ＰＬＡＹ」、「ＲＥＣ」キー等が設けられ、リモコンにも同様に「スタンバイ」、「ＰＬＡＹ」、「ＲＥＣ」キー等が設けられる。ここで、本実施形態における操作スイッチ２２及びリモコン４０にはいずれも電源スイッチあるいは「ＰＯＷＥＲ」キーが設けられていない。すなわち、ＡＣアダプタ１４をＡＣ電源に接続すると、自動的にノーマル状態となり、一定時間経過後にスリープ状態に移行することになる。スリープ状態からノーマル状態へは、後述するようにいくつかの方法で自動復帰する。操作スイッチ２２のキー及びリモコン４０のキーにはそれぞれ異なるコマンドが予め割り当てられており、キーコントローラ１８はこれらのキー操作信号を解釈し、ＤＶＤプロセッサ１２からの問い合わせに応じてどのキーが操作されたかをＤＶＤプロセッサ１２に返信する。キー操作の状態はＬＣＤ２０に表示される。
【００２０】
また、キーコントローラ１８は、ビデオ入力端子からダイオード４２及びコンデンサ４４を介してアナログビデオ信号を入力する。すなわち、ダイオード４２でアナログビデオ信号を検波して得られる脈流（６０Ｈｚ）をコンデンサ４４で平滑化し、キーコントローラ１８に供給する。
【００２１】
また、キーコントローラ１８は、ＤＶＤプロセッサ１２からのコマンドに応じて電源回路１６を制御してノーマル状態とスリープ状態を互いに移行させる。具体的には、ＡＣアダプタ１４がＡＣ電源に接続され、ＤＶＤプロセッサ１２がノーマル状態に移行した後、無操作状態で一定時間が経過するとＤＶＤプロセッサ１２はキーコントローラ１８に対してスリープ状態への移行を指令する。キーコントローラ１８は、ＤＶＤプロセッサ１２からの指令に応じ、電源回路１６に対して供給電圧の切り替えを指令してノーマル状態からスリープ状態に移行させる。一方、スリープ状態にあるときに、以下の条件が成立すると、キーコントローラ１８は電源回路１６に指令して供給電圧の切り替えを指令し、スリープ状態からノーマル状態に復帰させる。
【００２２】
（１）  ＤＶＤドライブ１０にメディアが挿入されたとき
（２）  リモコン４０のスタンバイ（ＳＴＡＮＢＹ）／プレイ（ＰＬＡＹ）／録画（ＲＥ
Ｃ）／イジェクト（ＥＪＥＣＴ）の各操作キーが操作されたとき
（３）  システム本体の操作スイッチ２２が操作されたとき
（４）  アナログビデオ入力端子から信号が入力されたとき
【００２３】
電源回路１６は、ＡＣアダプタ１４からのＡＣ電源電圧をＤＣに変換して各部に供給する。電源回路１６は、スイッチ１６ａ、ＤＣ／ＤＣコンバータ１６ｂ及び１６ｃを有する。スイッチ１６ａは、キーコントローラ１８からの指令により切り替えられるスイッチであり、スリープ状態ではＯＦＦ制御、ノーマル状態ではＯＮ制御される。ＤＣ／ＤＣコンバータ１６ｂは、５Ｖ、３．３Ｖ、２．５Ｖ及び１．８Ｖの各電圧をシステム各部に供給する。ＤＣ／ＤＣコンバータ１６ｃは、５Ｖの電圧をＤＶＤドライブ１０及びキーコントローラ１８に供給する。したがって、ノーマル状態では、ＤＣ／ＤＣコンバータ１６ｂからの５Ｖの電圧がＤＶＤプロセッサ１２に供給されるとともにＤＣ／ＤＣコンバータ１６ｃからの５Ｖの電圧がＤＶＤドライブ１０及びキーコントローラ１８に供給され、スリープ状態ではＤＶＤプロセッサ１２にはスイッチ１６ａがＯＦＦとなるため電圧は供給されず、ＤＶＤドライブ１０及びキーコントローラ１８に５Ｖの電圧が供給される。
【００２４】
以上のような構成において、ノーマル状態からスリープ状態への移行について、メディア挿入を例にとり説明する。
【００２５】
図２には、ＤＶＤドライブ１０にメディアを挿入した場合の、ＤＶＤドライブ１０、ＤＶＤプロセッサ１２、電源回路１６及びキーコントローラ１８の動作が示されている。
【００２６】
図２（Ａ）は、ノーマル状態からスリープ状態に移行したときの状態図である。このとき、ＤＶＤプロセッサからキーコントローラ１８に対してスリープモード移行が指令され、キーコントローラ１８はこれに応じて電源回路１６のスイッチ１６ａをＯＮからＯＦＦに制御する。すると、ＤＶＤプロセッサ１２はその動作を停止し（図では破線で電圧供給が遮断されたことを示す）、ＤＶＤドライブ１０及びキーコントローラ１８が電源回路１６からの電圧供給を受けて動作し続ける。なお、上記のとおり、ＤＶＤドライブ１０はメディア情報保持のためスリープモードではなくスタンバイモードに移行する。
【００２７】
図２（Ｂ）は、システムがスリープ状態において、ユーザがＤＶＤドライブ１０にメディアを挿入した場合の状態図である。ＤＶＤドライブ１０は、メディアが挿入されると内部のアームが押し込まれ、該アームに連動するマイクロスイッチがＯＮとなってローディング機構が動作する。ローディング機構の動作によりメディアを引き込み、所定位置にチャッキングする。ＤＶＤドライブ１０のマイコンは、マイクロスイッチのＯＮとともにメディア挿入を検出し、スタンバイ状態からアイドル状態に移行するとともにメディア挿入信号をＡＴＡＰＩインタフェースを介してＤＶＤプロセッサ１２及びキーコントローラ１８に送信する。スリープ状態ではＤＶＤプロセッサ１２はその動作を停止しているため、この挿入信号を受け付けない。一方、キーコントローラ１８は常時電圧供給を受けて動作状態にあるため、ＡＴＡＰＩインタフェースを介してこの挿入信号を受け付けることができ、挿入信号に応答して電源回路１６に切り替え信号を送信する。図では、この切り替え信号を「ウェイクアップ信号」と示している。
【００２８】
図２（Ｃ）は、キーコントローラ１８からウェイクアップ信号を電源回路１６に送信した後の状態図が示されている。電源回路１６のスイッチ１６ａは、キーコントローラ１８からの信号に応じてＯＦＦからＯＮとなり、ＤＶＤプロセッサ１２に電圧を供給する。ＤＶＤプロセッサ１２は、この電圧供給により動作を再開し（スリープ状態からノーマル状態への移行）、キーコントローラ１８に対して問い合わせる。キーコントローラ１８は、ＤＶＤプロセッサ１２からの要求に応じ、キー操作状態を返信する。ユーザがリモコン４０の「ＰＬＡＹ」キーを押下操作した場合、当該コマンドがキーコントローラ１８からＤＶＤプロセッサ１２に返信され、ＤＶＤプロセッサ１２は再生コマンドに応じてＤＶＤドライブ１０に指令する。ＤＶＤドライブ１０は、これに応じてメディアを再生し、その再生データをＤＶＤプロセッサ１２に供給する。以上のようにして、単にメディアを挿入するだけで、システムはスリープ状態からノーマル状態に移行できる。
【００２９】
図３には、本実施形態の全体処理フローチャートが示されている。
【００３０】
まず、ユーザがＡＣアダプタ１４をＡＣ電源に接続して電源をＯＮとする（Ｓ１０１）。上記のように、システムの操作スイッチ２２にもリモコン４０にも電源スイッチは存在しておらず、ＡＣアダプタ１４をＡＣ電源に接続することでそのままシステムはノーマル状態に移行する（Ｓ１０２）。すなわち、電源回路１６はＤＶＤプロセッサ１２、ＤＶＤドライブ１０及びキーコントローラ１８に電圧を供給し、ＤＶＤドライブ１０でのデータ記録／再生が可能な状態となる。ユーザがハンディカメラ等で撮影したビデオをＤＶＤに録画する際には、ハンディカメラをビデオ入力端子に接続し、リモコン４０の「ＲＥＣ」キーを押下操作する。ビデオ入力端子から入力されたビデオ信号はビデオデコーダ３２でデコードされ、ＤＶＤプロセッサ１２に供給される。ＤＶＤプロセッサ１２は、キーコントローラ１８からの録画コマンドに応じてＤＶＤドライブ１０に記録を指令し、ビデオデータをＤＶＤドライブ１０に供給する。ＤＶＤドライブ１０は、ＤＶＤプロセッサ１２から供給されたビデオデータをＤＶＤに順次記録していく。なお、ノーマル状態では、ＤＶＤプロセッサ１２は、ビデオデコーダ３２からの指令に応じて（キーコントローラ１８からのコマンドではなく）入力されたビデオデータをＤＶＤドライブ１０に供給して記録してもよい。
【００３１】
一方、ノーマルモードに移行した後、ＤＶＤプロセッサ１２は一定時間無操作状態が経過したか否かを判定し（Ｓ１０３）、一定時間経過した場合にはキーコントローラ１８にスリープ状態への移行を指令する。キーコントローラ１８は、この指令に応じて電源回路１６のスイッチ１６ａをＯＦＦ制御し、ＤＶＤプロセッサ１２の動作を停止するスリープ状態に移行する（Ｓ１０４）。これにより、省電力化が図られる。
【００３２】
スリープ状態に移行した後、キーコントローラ１８は、ＤＶＤドライブ１０にメディアが挿入されたか否かを判定する（Ｓ１０５）。この判定は、ＤＶＤドライブ１０からのＡＴＡＰＩインタフェースを用いた挿入信号の有無により実行される。ＤＶＤドライブ１０から挿入信号が送信された場合、キーコントローラ１８はこの信号によりメディア挿入を検出し（Ｓ１０６）、この信号に応じて電源回路１６のスイッチ１６ａをＯＮ制御してＤＶＤプロセッサ１２に電圧を供給する。これにより、ＤＶＤプロセッサ１２は動作を再開し、システムはスリープ状態からノーマル状態に移行する（Ｓ１０７）。
【００３３】
また、キーコントローラ１８は、スリープ状態においてリモコン４０のスタンバイ（ＳＴＡＮＢＹ）キーが押下操作されたか否かを判定する（Ｓ１０８）。スタンバイキーが押下操作された場合、キーコントローラ１８はこの信号に応じて電源回路１６のスイッチ１６ａをＯＮ制御し、ＤＶＤプロセッサ１２及び各部に電圧を供給する。これにより、ＤＶＤプロセッサ１２は動作を再開し、システムはスリープ状態からノーマル状態に移行する（Ｓ１０９）。
【００３４】
また、キーコントローラ１８は、スリープ状態においてリモコン４０のプレイ（ＰＬＡＹ）キーが押下操作されたか否かを判定する（Ｓ１１０）。プレイキーが押下操作された場合、キーコントローラ１８はこの信号に応じて電源回路１６のスイッチ１６ａをＯＮ制御し、ＤＶＤプロセッサ１２及び各部に電圧を供給する。これにより、ＤＶＤプロセッサ１２は動作を再開し、システムはスリープ状態からノーマル状態に移行する（Ｓ１１１）。すなわち、ＤＶＤプロセッサ１２はキーコントローラ１８に問い合わせ、キーコントローラ１８からの返信（プレイコマンド）に応じてＤＶＤドライブ１０に指令し、ＤＶＤドライブ１０から供給される再生データをビデオ出力端子あるいはオーディオ出力端子から出力する（Ｓ１１２）。
【００３５】
また、キーコントローラ１８は、スリープ状態においてリモコン４０の録画（ＲＥＣ）キーが押下操作されたか否かを判定する（Ｓ１１３）。録画キーが押下操作された場合、キーコントローラ１８はこの信号に応じて電源回路１６のスイッチ１６ａをＯＮ制御し、ＤＶＤプロセッサ１２及び各部に電圧を供給する。これにより、ＤＶＤプロセッサ１２は動作を再開し、システムはスリープ状態からノーマル状態に移行する（Ｓ１１４）。そして、ＤＶＤプロセッサ１２はキーコントローラ１８に問い合わせ、キーコントローラ１８からの返信（録画コマンド）に応じてＤＶＤドライブ１０に指令し、ビデオ入力端子から入力されたビデオ信号を記録する。なお、ＤＶＤドライブ１０に挿入されているメディアの種類によってはビデオ信号を記録できない場合もあるので、ＤＶＤプロセッサ１２はＤＶＤドライブ１０に対して記録可能なメディアが挿入されているか否かを問い合わせ、記録可能である場合には記録に問題ないと判断して（Ｓ１１５でＹＥＳ）、そのまま記録を開始する（Ｓ１１６）。この場合、ユーザはスリープ状態から単にリモコン４０の録画キーを押下操作するだけで所望のビデオを録画することが可能となり、所望のビデオを迅速かつ容易に録画できる。常時メディアをＤＶＤドライブ１０に挿入しておき、必要な場合に所望の画像を録画したいと欲するユーザは、必要なタイミングでまずリモコン４０の録画キーを操作すると想定されるが、本実施形態のシステムはこのような要求にも迅速に対応することが可能である。一方、ＤＶＤプロセッサ１２からＤＶＤドライブ１０に問い合わせた結果、ＤＶＤドライブ１０にＣＤ−ＲやＣＤ−ＲＷが挿入されている等でビデオ信号を記録することができない場合には記録に問題ありと判断して（Ｓ１１５でＮＯ）、ＬＣＤ２０あるいはシステムに接続されているモニタにメッセージを表示し、ユーザに報知する（Ｓ１１７）。
【００３６】
また、キーコントローラ１８は、スリープ状態においてリモコン４０のイジェクト（ＥＪＥＣＴ）キーが押下操作されたか否かを判定する（Ｓ１１８）。イジェクトキーが押下操作された場合、キーコントローラ１８はこの信号に応じて電源回路１６のスイッチ１６ａをＯＮ制御してＤＶＤプロセッサ１２及び各部に電圧を供給する。これにより、ＤＶＤプロセッサ１２は動作を再開し、システムはスリープ状態からノーマル状態に移行する（Ｓ１１９）。ＤＶＤプロセッサ１２はキーコントローラ１８に問い合わせ、イジェクトコマンドに応じてＤＶＤドライブ１０に指令して排出動作を実行する（Ｓ１２０）。
【００３７】
なお、スリープ状態においてビデオ入力端子からビデオ信号が入力された場合、あるいはシステム本体の操作スイッチ２２が操作された場合も同様である。例えば、スリープ状態においてビデオ信号が入力された場合、キーコントローラ１８はダイオード４２及びコンデンサ４４を介して入力されるビデオ信号を検出し、これに応じて電源回路１６のスイッチ１６ａをＯＮ制御してスリープ状態からノーマル状態に移行する。
【００３８】
以上説明したように、本実施形態のシステムによれば、簡易な構成でスリープ状態から自動的にノーマル状態に復帰できる。特に、メディア挿入時において確実にノーマル状態に復帰でき、また、録画キーが操作された場合にノーマル状態に復帰すると同時に録画条件が一致していれば自動的に録画を開始し、ユーザの要求に応えることができる。特に、本実施形態のシステムは、システム本体側及びリモコン４０側にも電源スイッチが存在しておらず、ＡＣアダプタ１４をＡＣ電源に接続するだけでノーマル状態に移行し、その後の無操作状態によりスリープ状態に移行するものであり、メディア挿入やリモコン４０の録画キー操作等により自動的にスリープ状態からノーマル状態に復帰できるので、ユーザの利便性は極めて高い。
【図面の簡単な説明】
【００３９】
【図１】実施形態の全体構成図である。
【図２】実施形態の動作説明図である。
【図３】実施形態の全体処理フローチャートである。
【符号の説明】
【００４０】
１０  ＤＶＤドライブ、１２  ＤＶＤプロセッサ、１６  電源回路、１８  キーコントローラ。
【図１】
2006092627.tif 000003
【図２】
2006092627.tif 000004
【図３】
2006092627.tif 000005